(57)【要約】【課題】組立性のよいロック機構を有する光学フィルタ装置を提供すること。【解決手段】光学機器に着脱可能な光学フィルタ装置であって、光学機器に対して係合可能な係合位置と係合が解除される退避位置との間で移動可能なロックレバー１４と、このロックレバー１４に設けられたカム溝１４ａと、このカム溝１４ａに係合する駆動ピン１３を有し、ロックレバー１４の移動方向と略直交する方向に移動可能なロックつまみ１０と、ロックレバー１４のカム溝１４ａに連通し、ロックレバー１４の移動方向に沿って形成される挿入溝１４ｂとを具備し、ロックつまみが組立位置１０ｄにある際に、ロックレバー１４をその移動方向に沿って組み付けることにより、駆動ピン１３とカム溝１４ａとが係合する。【選択図】    図３
2005017391.tif 000002
【特許請求の範囲】
【請求項１】
光学機器に着脱可能な光学フィルタ装置であって、
上記光学機器に対して係合可能な係合位置と係合が解除される退避位置との間で所定方向に移動可能な係合部材と、
上記係合部材に設けられたカム溝と、
上記カム溝に係合する駆動ピンを有し、上記係合部材の移動方向と略直交する方向に移動可能な操作部材と、
上記カム溝に連通して、上記係合部材の移動方向に沿って形成され、上記駆動ピンを上記カム溝に挿入するための開口部を、上記係合部材の上記移動方向の端部に有する挿入溝と、
を具備し、
上記操作部材は、上記係合部材を上記係合位置に位置させる第１の位置と上記係合部材を上記退避位置に位置させる第２の位置と、上記駆動ピンを上記挿入溝に挿入するための組立位置とに移動可能であって、上記操作部材が上記組立位置にある際に、上記係合部材を上記移動方向に沿って組み付けることにより、上記駆動ピンと上記カム溝とが係合することを特徴とする光学フィルタ装置。
【請求項２】
上記駆動ピンと上記カム溝とが係合することにより、上記操作部材の脱落が防止されることを特徴とする請求項１に記載の光学フィルタ装置。
【請求項３】
上記操作部材は、上記係合部材の一部が挿通される挿通部を有することを特徴とする請求項１に記載の光学フィルタ装置。
【請求項４】
上記操作部材は上記駆動ピンが配される孔部を有し、
上記駆動ピンと上記孔部との嵌合量が、上記駆動ピンの端部と上記カム溝の溝底面との距離よりも大きいことを特徴とする請求項１に記載の光学フィルタ装置。
【請求項５】
上記操作部材をその操作方向に沿ってガイドするガイド孔を更に具備し、
上記駆動ピンと上記孔部との嵌合量が上記駆動ピンの端部からガイド孔の壁部までの距離よりも大きいことを特徴とする請求項１に記載の光学フィルタ装置。
【発明の詳細な説明】
【０００１】
【発明の属する技術分野】
本発明は、光学機器に着脱可能な光学フィルタ装置に関する。
【０００２】
【従来の技術】
光学レンズ系の間に配される光学フィルタ装置の中には、レンズ鏡筒に対して着脱可能なものがある。このような着脱可能な光学フィルタ装置の中には、特許文献１で提案されているようなロック機構を有するものがある。
【０００３】
この特許文献１に提案されているロック機構は、鏡筒内部で係合して光学フィルタ装置を保持するロック部材を突出する方向に押圧するバネを有している。即ち、外部から何の力も受けていない状態では、ロック部材が、バネにより押圧されて外部に突出した状態となっている。この状態でロック部材の先端部に形成されたロック爪がレンズ鏡筒内部の固定筒と係合して光学フィルタ装置が保持される。
【０００４】
一方、操作部材を押し込むと、ロック部材が光学フィルタ内部方向に移動してレンズ鏡筒内部とロック部材との係合が解除される。ここで、操作部材もその操作方向と逆方向にバネにより押圧されており、外部から力を受けていない場合には、ロック部材が移動することがない。
【０００５】
【特許文献１】
特開２００１−２１９８４号公報
【０００６】
【発明が解決しようとする課題】
特許文献１で提案されている光学フィルタ装置では、操作部材により光学フィルタ装置からロック部材が脱落するのを防止している。したがって、ロック部材と操作部材とを組み付ける際には、バネにより突出しようとするロック部材と、同じくバネにより突出しようとする操作部材の２つの部材を押さえた状態で、操作部材の脱落を防止するようにＥリングなどを組み付ける必要があるので、組立性があまりよくない。
【０００７】
本発明は、上記の事情に鑑みてなされたもので、組立性のよいロック機構を有する光学フィルタ装置を提供することを目的とする。
【０００８】
【課題を解決するための手段】
上記の目的を達成するために、本発明の第１の態様による光学フィルタ装置は、光学機器に着脱可能な光学フィルタ装置であって、上記光学機器に対して係合可能な係合位置と係合が解除される退避位置との間で所定方向に移動可能な係合部材と、上記係合部材に設けられたカム溝と、上記カム溝に係合する駆動ピンを有し、上記係合部材の移動方向と略直交する方向に移動可能な操作部材と、上記カム溝に連通して、上記係合部材の移動方向に沿って形成され、上記駆動ピンを上記カム溝に挿入するための開口部を、上記係合部材の上記移動方向の端部に有する挿入溝とを具備し、上記操作部材は、上記係合部材を上記係合位置に位置させる第１の位置と上記係合部材を上記退避位置に位置させる第２の位置と、上記駆動ピンを上記挿入溝に挿入するための組立位置とに移動可能であって、上記操作部材が上記組立位置にある際に、上記係合部材を上記移動方向に沿って組み付けることにより、上記駆動ピンと上記カム溝とが係合する。
【０００９】
この第１の態様によれば、係合部材の移動方向に沿って挿入溝を形成することにより、操作部材を押し込んだ状態で、係合部材を挿入することでカム溝と駆動ピンとの係合が簡単に行える。
【００１０】
また、上記の目的を達成するために、本発明の第２の態様による光学フィルタ装置は、第１の態様において、上記駆動ピンと上記カム溝とが係合することにより、上記操作部材の脱落が防止される。
【００１１】
この第２の態様によれば、駆動ピンとカム溝とが係合することにより、操作部材の脱落が防止される。
【００１２】
また、上記の目的を達成するために、本発明の第３の態様による光学フィルタ装置は、第１の態様において、上記操作部材は、上記係合部材の一部が挿通される挿通部を有する。
【００１３】
この第３の態様によれば、係合部材の一部を、操作部材に設けられた挿通部に配することにより、光学フィルタ装置の小型化が図れる。
【００１４】
また、上記の目的を達成するために、本発明の第４の態様による光学フィルタ装置は、第１の態様において、上記操作部材は上記駆動ピンが配される孔部を有し、上記駆動ピンと上記孔部との嵌合量が、上記駆動ピンの端部と上記カム溝の溝底面との距離よりも大きい。
【００１５】
この第４の態様によれば、駆動ピンを操作部材に固定しなくとも駆動ピンの脱落が防止できる。
【００１６】
また、上記の目的を達成するために、本発明の第５の態様による光学フィルタ装置は、第１の態様において、上記操作部材をその操作方向に沿ってガイドするガイド孔を更に具備し、上記駆動ピンと上記孔部との嵌合量が上記駆動ピンの端部からガイド孔の壁部までの距離よりも大きい。
【００１７】
この第５の態様によれば、操作部材をガイド孔に挿入する過程においても、駆動ピンを操作部材に固定せずに、駆動ピンの脱落が防止できる。
【００１８】
【発明の実施の形態】
以下、本発明の一実施形態を図面を参照して説明する。
図１は、本発明の一実施形態に係る光学フィルタ装置と、この光学フィルタ装置が装着される光学機器としてのレンズ鏡筒の外観斜視図である。即ち、本光学フィルタ装置１を、レンズ鏡筒２１に設けられた開口部２１ａに装着することで、光学フィルタ装置１に設けられたロック機構が動作して、光学フィルタ装置１がレンズ鏡筒に固定される。
【００１９】
図２は、光学フィルタ装置１の構成を示す分解斜視図である。この光学フィルタ装置１は、フィルタ調整機構と、フィルタユニット６と、カバー部材９と、ロック機構とで構成される。
【００２０】
フィルタ調整機構は、フィルタユニット６の光学フィルタを回転操作するための機構であり、フィルタ操作つまみ２と、Ｏリング３と、伝達ギア４と、Ｅリング５とで構成される。このフィルタ調整機構については後で詳しく述べる。
【００２１】
本一実施形態において、フィルタユニット６は、レンズ鏡筒に入射した光を偏光させるための光学フィルタ（偏光フィルタ）７と、フィルタ枠８とで構成されている。なお、光学フィルタとしては偏光フィルタに限らず、他の効果を得るためのフィルタであっても良い。光学フィルタ７は、上記したフィルタ調整機構によって光軸周りに回転移動される。フィルタ枠８は、外周上に上記伝達ギア４の回転力を受ける平ギア部８ａを有し、光学フィルタ７を保持する部材である。そして、フィルタ枠８の内周に形成されたネジ部に押さえ環８ｂを組み付けることで光学フィルタ７がフィルタ枠８に固定される。
【００２２】
カバー部材９は、フィルタ調整機構やロック機構、フィルタユニット６等を保護するための部材である。このカバー部材９は、ネジ９ａによって光学フィルタ装置１本体にネジ止めされる。
【００２３】
ロック機構は、レンズ鏡筒に光学フィルタ装置１を保持するための機構であり、操作部材としてのロックつまみ１０と、Ｏリング１１と、つまみバネ１２と、駆動ピン１３と、ロックレバー１４と、ロックバネ１５と、ストッパピン１６とで構成される。ここで、ロックつまみ１０は特許請求の範囲に記載の操作部材に対応し、ロックレバー１４は特許請求の範囲に記載の係合部材に対応する。
【００２４】
次に、フィルタ調整機構及びロック機構について更に詳細に説明する。ここで、図３は光学フィルタ装置１の正面断面図である。また、図４は図２のＡ−Ａ線断面図であり、図５は光学フィルタ装置をレンズ鏡筒に装着した際のＢ−Ｂ線断面図である。更に、図６は光学フィルタ装置１におけるロックレバー１４付近の上面断面図である。
【００２５】
まず、フィルタ調整機構について説明する。図３及び図４において、フィルタ操作つまみ２は、操作部２ａと、軸部２ｂと、笠歯ギア部２ｃとで構成されている。操作部２ａは、光学フィルタ装置１の外部に露呈して配置されており、ユーザにより回転操作される。軸部２ｂは、操作部２ａから伝達ギア４まで延出するように形成されており、操作部２ａで発生した回転力を笠歯ギア部２ｃに伝達する。笠歯ギア部２ｃは、回転力を伝達ギア４に伝達する。
【００２６】
ここで、軸部２ｂの上部には、光学フィルタ装置１外部からの水分の浸入を防止するためのＯリング３が取り付けられている。一方、軸部２ｂの下部には、フィルタ操作つまみ２が光学フィルタ装置１から脱落してしまわないように、Ｅリング５が取り付けられている。
【００２７】
伝達ギア４は、光学フィルタ装置１本体に設けられたギア収納部１ａに配置される。ここで、伝達ギア４は、笠歯ギア部４ａと平ギア部４ｂの２段のギアで構成されており、笠歯ギア部４ａはフィルタ操作つまみ２の笠歯ギア部２ｃと噛み合うように、また、平ギア部４ｂはフィルタユニット６の平ギア部８ａと噛み合うように配置されている。
【００２８】
即ち、フィルタ操作つまみ２の操作部２ａを回転させることで、この回転力が笠歯ギア部２ｃを介して伝達ギア４に伝達される。そして、この伝達ギア４において、フィルタ操作つまみ２の操作による回転力（図４の垂直軸周りの回転力）が光学フィルタ７の中心軸と略平行な軸周りの回転力（図４の水平軸周りの回転力）に変換される。そして、この変換された回転力がフィルタ枠８に伝達されて、フィルタ枠８が回転する。
【００２９】
ここで、本一実施形態のような構造では、光学フィルタ装置１外部に隙間を設けなくともフィルタ枠８を回転させることができるので、防水・防滴構造とすることが簡単である。
【００３０】
次に、ロック機構について説明する。このロック機構においては、光学フィルタ装置１内部に形成されたガイド孔１ｂにロックつまみ１０が配される。ここで、ロックつまみ１０の一端側（図３の左側）に防水用のＯリング１１が取り付けられており、ロックつまみ１０と光学フィルタ装置１との隙間から内部への水分の侵入を防止している。また、ロックつまみ１０の他端側（図３の右側）はつまみバネ１２によって付勢されており、このつまみバネ１２によって図面左方向に押圧力を受けている。即ち、つまみバネ１２は、ロックつまみ１０の端部が光学フィルタ装置１本体から突出するように付勢している。したがって、ロックつまみ１０を図３の右方向に押圧する操作は、このつまみバネ１２の付勢力に抗して行われる。
【００３１】
また、図２に示すように、ロックつまみ１０には孔部１０ａが設けられており、この孔部１０ａに駆動ピン１３が配される。
【００３２】
また、ロックつまみ１０には孔部１０ａとは別の孔部１０ｂが設けられており、この孔部１０ｂにストッパピン１６が挿入される。また、ロックつまみ１０には、挿通部１０ｃが設けられており、ロックレバー１４の組み付け時には、この挿通部１０ｃにロックレバー１４の一部が配される。これにより光学フィルタ装置の小型化を図ることができる。
【００３３】
また、レンズ鏡筒２１と内部で係合するロックレバー１４の底面には、図３で示すように溝部が形成されており、この溝部にロックバネ１５が配される。このため、ロックレバー１４を光学フィルタ装置１に組み付けた際に、ロックレバー１４は、ロックバネ１５により、光学フィルタ装置１の外部に突出する方向、即ち、図３の表方向に押圧力を受けるようになる。更に、ロックレバー１４には、カム溝１４ａと、このカム溝１４ａと連通し、かつロックレバー１４の移動方（即ち、図３の裏表方向に沿って挿入溝１４ｂとが形成されている。これにより、ロックレバー１４を光学フィルタ装置１に組み付けた際には、駆動ピン１３が挿入溝１４ｂに挿入される。
【００３４】
ここで、このロックつまみに設けられた孔部１０ａと駆動ピン１３との嵌合量が、図３における駆動ピン１３の下端部からカム溝１４ａまでの距離よりも長くなるように、駆動ピン１３のピン長さ及び孔部１０ａの深さを調節しておけば、駆動ピン１３をロックつまみ１０に固定しておかなくとも、ロックつまみ１０から駆動ピン１３が脱落することがない。また、駆動ピン１３と孔部１０ａとの嵌合量が、駆動ピン１３の下端部からガイド孔１ｂの下壁部までの距離よりも長くなるように、駆動ピン１３のピン長さ及び孔部１０ａの深さを調節しておけば、ロックつまみ１０をガイド孔１ｂに挿入する際にロックつまみ１０から駆動ピン１３が脱落してしまうことがない。
【００３５】
ストッパピン１６は、ロックレバー１４を光学フィルタ装置１に組み付けた後、ストッパ溝１７を介してロックつまみ１０に設けられた孔部１０ｂに挿入される。これにより、ロックつまみ１０の押し込み可能な範囲がストッパ溝１７の範囲に規制される。これにより、光学フィルタ装置１からロックつまみ１０が脱落してしまうのを防止する。即ち、ストッパピン１６が挿入されていない場合には、ロックつまみ１０を組立位置１０ｄまで移動させることができる。一方、ストッパピン１６が挿入されている場合には、ロックつまみ１０の移動可能範囲が規制される。このとき、ロックつまみ１０は、第１の位置１０ｆと第２の位置１０ｅとの間の範囲を移動させることができる。
【００３６】
ここで、ロック機構を組み立てる際には、ストッパピン１６をロックつまみ１０に挿入せずに行う。即ち、組立時には、ロックつまみ１０を組立位置１０ｄまで押し込んで、ロックつまみ１０に配された駆動ピン１３を移動させる。この状態でロックレバー１４を組み付けると、駆動ピン１３がロックレバー１４に形成された挿入溝１４ｂに入る。その後、ロックレバー１４を押し込みつつロックつまみ１０を離すと、つまみバネ１２からの押圧力を受けてロックつまみ１０が第１の位置１０ｆに戻る。このとき、図６の破線で示す位置にあった駆動ピン１３がカム溝１４ａを移動して、駆動ピン１３とカム溝１４ａとが係合する。これにより、ロックレバー１４が保持される。
【００３７】
このように、ロックレバー１４の移動方向に沿って挿入溝１４ｂを形成すれば、ロックつまみ１０を押し込んだ状態でロックレバー１４を押し込むという簡単な操作でカム溝１４ａと駆動ピン１３との係合を行うことが可能である。この状態で、ロックつまみ１０は、駆動ピン１３がカム溝１４ａと係合しているので、光学フィルタ装置１本体から脱落することがない。このようにして駆動ピン１３とカム溝１４ａとを係合させた後、ストッパピン１６をロックつまみ１０に挿入する。このようにして組み付けられることによりロックつまみ１０の移動範囲が規制される。
【００３８】
一方、ロック機構を動作させる場合には、ストッパピン１６をロックつまみ１０に挿入する。この状態でロックつまみ１０を押し込むと、ロックつまみ１０は、第２の位置１０ｅに移動する。これに連動して駆動ピン１３が移動して、図５の破線で示す位置までロックレバー１４が押し込まれる。この状態でレンズ鏡筒２１の開口部２１ａに本光学フィルタ装置１を装着する。
【００３９】
この後、ロックつまみ１０を離すと、ロックレバー１４は、ロックバネ１５からの押圧力を受けて元の位置に戻る。この結果、図５に示すレンズ鏡筒２１の係止部２２によってロックレバー１４が係止され、光学フィルタ装置１がレンズ鏡筒２１に保持される。ここで、レンズ鏡筒２１には、光学フィルタ装置１との装着位置に防水ゴム２３が設けられており光学フィルタ装置１との装着位置からレンズ鏡筒２１内部に水分が侵入するのを防止している。
【００４０】
次に、ロック機構の配置について説明する。本一実施形態では、ロック機構が、図３で示すように軸部２ｂの側方であって、ギア収納部１ａと操作部２ａとの間に配される。即ち、図３のような構造においては、伝達ギア４など、フィルタ操作つまみ２の回転力をフィルタ枠８に伝達させるための伝達機構を配する必要がある。そしてこのような伝達機構は、図３の紙面方向（フィルタ枠８の回転軸に直交する方向）に大きな空間が必要となるので、ギア収納部１ａの大きさは、この伝達ギア４の回転余裕分を考慮したある程度の大きさを有している必要がある。その一方で、軸部２ｂは、操作部２ａの回転力を笠歯ギア部２ｃに伝達できればよいので、その径の大きさをある程度小さくすることもできる。
【００４１】
以上のことから、軸部２ｂの側方部のスペースを利用してロック機構を配置すれば、光学フィルタ装置を更に小型化することが可能である。
【００４２】
以上実施形態に基づいて本発明を説明したが、本発明は上記した実施形態に限定されるものではなく、本発明の要旨の範囲内で種々の変形や応用が可能なことは勿論である。
【００４３】
さらに、上記した実施形態には種々の段階の発明が含まれており、開示される複数の構成要件の適当な組合せにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【００４４】
【発明の効果】
以上詳述したように、本発明によれば、組立性のよいロック機構を有する光学フィルタ装置を提供することができる。
【図面の簡単な説明】
【図１】本発明の一実施形態に係る光学フィルタ装置と、この光学フィルタ装置が装着される光学機器であるレンズ鏡筒の外観斜視図である。
【図２】光学フィルタ装置の分解斜視図である。
【図３】光学フィルタ装置の正面断面図である。
【図４】図２のＡ−Ａ線断面図である。
【図５】光学フィルタ装置をレンズ鏡筒に装着した際のＢ−Ｂ線断面図である。
【図６】光学フィルタ装置におけるロックレバー付近の上面断面図である。
【符号の説明】１…光学フィルタ装置、１ａ…ギア収納部、１ｂ…ガイド孔、２…フィルタ操作つまみ、２ａ…操作部、２ｂ…軸部、２ｃ…笠歯ギア部、３，１１…Ｏリング、４…伝達ギア、４ａ…笠歯ギア部、４ｂ…平ギア部、５…Ｅリング、６…フィルタユニット、７…光学フィルタ、８…フィルタ枠、８ａ…平ギア部、８ｂ…押さえ環、９…カバー部材、９ａ…ネジ、１０…ロックつまみ、１０ａ，１０ｂ…孔部、１０ｃ…挿通部、１２…つまみバネ、１３…駆動ピン、１４…ロックレバー、１４ａ…カム溝、１４ｂ…挿入溝、１５…ロックバネ、１６…ストッパピン、１７…ストッパ溝、２１…レンズ鏡筒、２１ａ…開口部、２２…係止部
【図１】
2005017391.tif 000003
【図２】
2005017391.tif 000004
【図３】
2005017391.tif 000005
【図４】
2005017391.tif 000006
【図５】
2005017391.tif 000007
【図６】
2005017391.tif 000008